(57)【要約】【課題】ユーザからの操作のみにより車両を貸し出すことができる車両貸出システム、中央装置、及び車両貸出方法を提供する。【解決手段】車両貸出システム１００は、中央装置１、携帯端末２（通信装置）、及び駐車領域４ａに設けられ、該駐車領域４ａに駐車する車両３を出庫に係る制御を行う充電スタンド５（制御装置）を含んで構成される。携帯端末２は、駐車領域４ａに駐車している車両３の貸出予約に係る予約情報を中央装置１に送信する。予約情報を受信した中央装置１は、前記貸出予約に係る車両３（貸出予約車両）が出庫可の状態になることを禁止させる制御信号を、貸出予約車両を制御する充電スタンド５に送信する。中央装置１は、充電スタンド５に貸出予約車両が出庫可の状態となるように制御させるべき暗証情報を生成し、生成した暗証情報を携帯端末２に送信する。携帯端末２は、中央装置１から送信された暗証情報を受信し、暗証情報を報知する。【選択図】図１
2015052984.tif 000002
【特許請求の範囲】
【請求項１】
車両が出庫可又は不可の状態で駐車することができる一又は複数の駐車領域に駐車している車両が、出庫不可の状態から出庫可の状態となるように制御する一又は複数の制御装置と、前記駐車領域に駐車する一又は複数の車両における貸出予約に係る予約情報を送信する通信装置と、前記一又は複数の車両夫々に係る車両情報を記憶する記憶部を有し、前記通信装置から送信された予約情報を受信し、受信した予約情報及び前記記憶部が記憶する車両情報に基づいて、前記貸出予約に係る貸出予約車両が出庫可の状態となるように制御する前記制御装置と通信を行う中央装置とを備える車両貸出システムであって、
前記中央装置は、
前記通信装置から前記予約情報を受信した場合、前記貸出予約車両が出庫可の状態となることを禁止させる制御信号を前記制御装置に送信する禁止信号送信部を備え、
前記制御装置は、前記禁止信号送信部が送信した制御信号に基づいて、前記貸出予約車両が出庫可の状態となることを禁止するようにしてあり、
前記中央装置は更に、
前記制御装置に前記貸出予約車両が出庫可の状態となるように制御させるべき暗証情報を生成する生成部と、
該生成部が生成した暗証情報を前記通信装置に送信する暗証情報送信部と
を備え、
前記通信装置は、
前記暗証情報送信部が送信した暗証情報を受信する暗証情報受信部と、
該暗証情報受信部が受信した暗証情報を報知する暗証情報報知部と
を備えることを特徴とする車両貸出システム。
【請求項２】
前記制御装置は、
暗証情報の入力を受け付ける受付部と、
該受付部が受け付けた暗証情報を前記中央装置に送信する受付情報送信部と
を備え、
前記中央装置は、
前記生成部が生成した暗証情報を前記記憶部に記憶するようにしてあり、
前記受付情報送信部が送信した暗証情報を受信する受付情報受信部と、
該受付情報受信部が受信した暗証情報及び前記記憶部が記憶する暗証情報が一致するか否かを判定する判定部と、
該判定部が一致すると判定した場合、前記貸出予約車両が出庫可の状態となるように制御させる制御信号を前記制御装置に送信する出庫可信号送信部と
を備え、
前記制御装置は更に、前記出庫可信号送信部が送信した制御信号に基づき、前記貸出予約車両が出庫可の状態となるように制御するようにしてあること
を特徴とする請求項１に記載の車両貸出システム。
【請求項３】
前記暗証情報送信部は、前記生成部が生成した暗証情報を前記制御装置に送信するようにしてあり、
前記制御装置は、
前記暗証情報送信部が送信した暗証情報を記憶する暗証情報記憶部と、
暗証情報の入力を受け付ける受付部と、
該受付部が受け付けた暗証情報及び前記暗証情報記憶部が記憶する暗証情報が一致するか否かを判定する判定部とを備え、
該判定部が一致すると判定した場合、前記貸出予約車両が出庫可の状態となるように制御するようにしてあること
を特徴とする請求項１に記載の車両貸出システム。
【請求項４】
前記制御装置は、
駐車領域に入庫した車両に係る入庫車両情報を取得する取得部と、
該取得部が取得した入庫車両情報及び該入庫車両情報に対応する車両が入庫した駐車領域に係る駐車領域情報を対応付けて前記中央装置に送信する入庫情報送信部と
を備え、
前記中央装置は、
先の貸出予約によって貸出済みの貸出済車両に係る貸出済車両情報を、前記貸出予約車両が駐車している駐車領域に係る駐車領域情報に対応付けて前記記憶部に記憶してあり、
前記入庫情報送信部が送信した入庫車両情報及び該入庫車両情報に対応する駐車領域情報を受信する入庫情報受信部と、
該入庫情報受信部により受信された入庫車両情報及び前記記憶部に記憶された貸出済車両情報が同一で、かつ前記入庫車両情報に対応する駐車領域情報及び前記貸出済車両情報に対応する駐車領域情報が同一であるか否かを判定する乗換判定部と、
該乗換判定部の判定結果に応じた報知を前記通信装置又は制御装置に行わせる情報を該通信装置又は制御装置に送信する報知情報送信部と
を備えることを特徴とする請求項２又は３に記載の車両貸出システム。
【請求項５】
前記制御装置は、
駐車領域から車両が出庫したか否かを判定する出庫判定部と、
該出庫判定部が出庫したと判定した駐車領域に係る駐車領域情報を前記中央装置に送信する出庫情報送信部と
を備え、
前記中央装置は、
車両が駐車する駐車領域に係る駐車領域情報に対応付けて、該車両に係る車両情報を前記記憶部に記憶するようにしてあり、
前記出庫情報送信部が送信した駐車領域情報を受信する出庫情報受信部と、
該出庫情報受信部が受信した駐車領域情報に対応する駐車領域が、前記貸出予約車両が駐車する駐車領域であるか否かを判定する貸出予約車両出庫判定部と、
該貸出予約車両出庫判定部が、前記貸出予約車両が駐車する駐車領域であると判定した後に計時を開始する計時部とを備え、
前記入庫車両情報及び前記貸出済車両情報が同一で、かつ該入庫車両情報に対応する駐車領域情報及び前記貸出済車両情報に対応する駐車領域情報が同一であると、前記計時部が計時を開始してから所定時間以上経過するまでに前記乗換判定部が判定しなかった場合、その旨を報知させる情報を前記通信装置又は制御装置に送信するようにしてあること
を特徴とする請求項４に記載の車両貸出システム。
【請求項６】
前記車両は、バッテリを搭載し、該バッテリが出力する電力により走行する車両であり、
前記制御装置は、駐車領域に駐車した車両が搭載するバッテリに電力の供給を可能に構成され、
前記中央装置は、
前記乗換判定部が前記入庫車両情報及び前記貸出済車両情報が同一で、かつ該入庫車両情報に対応する駐車領域情報及び前記貸出済車両情報に対応する駐車領域情報が同一であると、前記計時部が計時を開始してから所定時間以上経過するまでに判定しなかった場合、該所定時間以上経過後に前記入庫情報受信部により受信された入庫車両情報が前記貸出予約車両（又は貸出済車両）に係る車両情報（又は貸出済車両情報）と同一であるか否かを判定する入庫情報判定部と、
該入庫情報判定部が同一であると判定した場合、前記車両情報（又は貸出済車両情報）を送信した制御装置に前記貸出予約車両（又は貸出済車両）が搭載するバッテリに電力の供給を禁止する制御信号を送信する給電禁止信号送信部と
を備えること特徴とする請求項５に記載の車両貸出システム。
【請求項７】
車両が出庫可又は不可の状態で駐車することができる一又は複数の駐車領域に駐車する一または複数の車両夫々に係る車両情報を記憶する記憶部を備え、前記一又は複数の車両における貸出予約に係る予約情報を外部から受信し、受信した予約情報及び前記記憶部が記憶する車両情報に基づいて、前記貸出予約に係る貸出予約車両が出庫不可の状態から出庫可の状態となるように制御する制御装置と通信を行う中央装置であって、
前記予約情報を受信したとき、前記貸出予約車両が出庫可の状態となることを禁止させる制御信号を前記制御装置に送信する禁止信号送信部と、
前記制御装置に前記貸出予約車両が出庫可の状態となるように制御させるべき暗証情報を生成する生成部と、
該生成部が生成した暗証情報を前記予約情報の送信元に送信する暗証情報送信部と
を備えることを特徴とする中央装置。
【請求項８】
車両が出庫可又は不可の状態で駐車することができる一又は複数の駐車領域に駐車している車両が、出庫不可の状態から出庫可の状態となるように制御する一又は複数の制御装置と、前記駐車領域に駐車する一又は複数の車両における貸出予約に係る予約情報を送信する通信装置と、前記一又は複数の車両夫々に係る車両情報を記憶する記憶部を備え、前記通信装置から送信された予約情報を受信し、受信した予約情報及び前記記憶部が記憶する車両情報に基づいて、前記貸出予約に係る貸出予約車両が出庫可の状態となるように制御する制御装置と通信を行う中央装置とを備える車両貸出システムによる車両貸出方法において、
前記中央装置は、
前記通信装置から前記予約情報を受信した場合、前記貸出予約車両が出庫可の状態となることを禁止させる制御信号を前記制御装置に送信するステップを実行し、
前記制御装置は、
前記中央装置から送信された制御信号に基づいて、前記貸出予約車両が出庫可の状態となることを禁止するステップを実行し、
前記中央装置は更に、
前記制御装置に前記貸出予約車両が出庫可の状態になるように制御させるべき暗証情報を生成するステップと、
生成した暗証情報を前記通信装置に送信するステップと
を実行し、
前記通信装置は、
前記中央装置から送信された暗証情報を受信するステップと、
受信した暗証情報を外部に報知するステップと
を実行することを特徴とする車両貸出方法。
【発明の詳細な説明】
【技術分野】
【０００１】
本発明は、駐車領域に駐車している車両を貸し出すための車両貸出システム、中央装置、及び車両貸出方法に関する。
【背景技術】
【０００２】
従来、車両の購入費用、所有する車両を駐車するための費用等の経済的な負担の軽減、車両から排出される二酸化炭素の削減等の環境的な負担の軽減等の理由から、複数のユーザが車両を共同で使用するカーシェアリングシステムが知られている。一般に、カーシェアリングシステムの提供を受けるユーザは、使用する車両の使用料金を支払うだけでよく、使用する車両の維持費を直接的に支払う必要はない。
【０００３】
特許文献１に記載のカーシェアリングシステムは、カーシェアリングシステムの使用者が用いるユーザ端末（通信装置）と、カーシェアリングシステムの管理者により管理される管理サーバ（中央装置）とを含んで構成される。使用者は、ユーザ端末によって希望する車両の機能等の予約に係る予約情報を管理サーバに送信する。管理者は、受信した予約情報に基づいて、カーシェアリングシステムに用いる車両の機能の設定等の整備を行い、使用者に整備した車両を使用させるべく配車する。そのため、特許文献１に記載のカーシェアリングシステムは、使用目的が異なる各ユーザに適したカーシェアリングシステムを提供することができる。
【先行技術文献】
【特許文献】
【０００４】
【特許文献１】特開２０１２−８３９０５号公報
【発明の概要】
【発明が解決しようとする課題】
【０００５】
しかしながら、特許文献１に記載のカーシェアリングシステムにおいては、管理者はユーザから管理サーバに予約情報が送信される毎に、予約情報に基づいて車両の整備及び配車をする必要があり、手間がかかるという問題がある。
【０００６】
本発明は斯かる事情に鑑みてなされたものであり、ユーザからの操作のみにより車両を貸し出すことができる車両貸出システム、中央装置、及び車両貸出方法を提供することにある。
【課題を解決するための手段】
【０００７】
本発明に係る車両貸出システムは、車両が出庫可又は不可の状態で駐車することができる一又は複数の駐車領域に駐車している車両が、出庫不可の状態から出庫可の状態となるように制御する一又は複数の制御装置と、前記駐車領域に駐車する一又は複数の車両における貸出予約に係る予約情報を送信する通信装置と、前記一又は複数の車両夫々に係る車両情報を記憶する記憶部を有し、前記通信装置から送信された予約情報を受信し、受信した予約情報及び前記記憶部が記憶する車両情報に基づいて、前記貸出予約に係る貸出予約車両が出庫可の状態となるように制御する前記制御装置と通信を行う中央装置とを備える車両貸出システムであって、前記中央装置は、前記通信装置から前記予約情報を受信した場合、前記貸出予約車両が出庫可の状態となることを禁止させる制御信号を前記制御装置に送信する禁止信号送信部を備え、前記制御装置は、前記禁止信号送信部が送信した制御信号に基づいて、前記貸出予約車両が出庫可の状態となることを禁止するようにしてあり、前記中央装置は更に、前記制御装置に前記貸出予約車両が出庫可の状態となるように制御させるべき暗証情報を生成する生成部と、該生成部が生成した暗証情報を前記通信装置に送信する暗証情報送信部とを備え、前記通信装置は、前記暗証情報送信部が送信した暗証情報を受信する暗証情報受信部と、該暗証情報受信部が受信した暗証情報を報知する暗証情報報知部とを備えることを特徴とする。
【０００８】
本発明にあっては、中央装置は、通信装置から予約情報を受信した場合、貸出予約車両が出庫可の状態となることを禁止させる制御信号を禁止信号送信部にて制御装置に送信する。制御装置は、禁止信号送信部が送信した制御信号に基づいて、貸出予約車両が出庫可の状態となることを禁止する。中央装置は更に、貸出予約車両が出庫可の状態となるように制御させるべき暗証情報を生成部にて生成する。中央装置は、生成部が生成した暗証情報を暗証情報送信部にて通信装置に送信する。通信装置は、暗証情報送信部が送信した暗証情報を暗証情報受信部にて受信する。通信装置は、暗証情報受信部が受信した暗証情報を通知部にて外部に通知する。従って、通信装置のユーザは、通知された暗証番号を用いて貸出予約車両を出庫可とすることができるため、車両をユーザからの操作のみにより貸し出すことができる。
【０００９】
本発明に係る車両貸出システムは、前記制御装置は、暗証情報の入力を受け付ける受付部と、該受付部が受け付けた暗証情報を前記中央装置に送信する受付情報送信部とを備え、前記中央装置は、前記生成部が生成した暗証情報を前記記憶部に記憶するようにしてあり、前記受付情報送信部が送信した暗証情報を受信する受付情報受信部と、該受付情報受信部が受信した暗証情報及び前記記憶部が記憶する暗証情報が一致するか否かを判定する判定部と、該判定部が一致すると判定した場合、前記貸出予約車両が出庫可の状態となるように制御させる制御信号を前記制御装置に送信する出庫可信号送信部とを備え、前記制御装置は更に、前記出庫可信号送信部が送信した制御信号に基づき、前記貸出予約車両が出庫可の状態となるように制御するようにしてあることを特徴とする。
【００１０】
本発明にあっては、制御装置は暗証情報の入力を受付部にて受け付ける。制御装置は、受付部が受け付けた暗証情報を受付情報送信部にて中央装置に送信する。中央装置は、生成部が生成した暗証情報を記憶部に記憶する。中央装置は、受付情報送信部が送信した暗証情報を受付情報受信部にて受信する。中央装置は、受付情報受信部が受信した暗証情報及び記憶部が記憶する暗証情報が一致するか否かを判定部にて判定する。中央装置は、判定部が一致すると判定した場合、貸出予約車両が出庫可の状態となるように制御信号を出庫可信号送信部にて送信する。制御装置は更に、出庫可信号送信部が送信した制御信号に基づいて、貸出予約車両が出庫可の状態となるように制御する。従って、制御装置は、入力された暗証番号が正しいときに中央装置から送信される制御信号に基づいて、貸出予約車両を出庫不可の状態から出庫可の状態に制御することができる。
【００１１】
本発明に係る車両貸出システムは、前記暗証情報送信部は、前記生成部が生成した暗証情報を前記制御装置に送信するようにしてあり、前記制御装置は、前記暗証情報送信部が送信した暗証情報を記憶する暗証情報記憶部と、暗証情報の入力を受け付ける受付部と、該受付部が受け付けた暗証情報及び前記暗証情報記憶部が記憶する暗証情報が一致するか否かを判定する判定部とを備え、該判定部が一致すると判定した場合、前記貸出予約車両が出庫可の状態となるように制御するようにしてあることを特徴とする。
【００１２】
本発明にあっては、中央装置が備える暗証情報送信部は、生成部が生成した暗証情報を制御装置に送信する。制御装置は、禁止信号送信部が送信した制御信号に含まれる暗証情報を暗証情報記憶部にて記憶する。制御装置は、外部から暗証情報の入力を受付部にて受け付ける。制御装置は、受付部が受け付けた暗証情報と、暗証情報記憶部が記憶する暗証情報とが一致するか否かを判定部にて判定する。制御装置は、判定部が一致すると判定した場合、貸出予約車両が出庫可の状態となるように制御する。従って、制御装置は中央装置から送信された暗証情報に基づいて、入力された暗証情報が正しいか否かを判定し、貸出予約車両を出庫不可の状態から出庫可の状態に制御することができる。
【００１３】
本発明に係る車両貸出システムは、前記制御装置は、駐車領域に入庫した車両に係る入庫車両情報を取得する取得部と、該取得部が取得した入庫車両情報及び該入庫車両情報に対応する車両が入庫した駐車領域に係る駐車領域情報を対応付けて前記中央装置に送信する入庫情報送信部とを備え、前記中央装置は、先の貸出予約によって貸出済みの貸出済車両に係る貸出済車両情報を、前記貸出予約車両が駐車している駐車領域に係る駐車領域情報に対応付けて前記記憶部に記憶してあり、前記入庫情報送信部が送信した入庫車両情報及び該入庫車両情報に対応する駐車領域情報を受信する入庫情報受信部と、該入庫情報受信部により受信された入庫車両情報及び前記記憶部に記憶された貸出済車両情報が同一で、かつ前記入庫車両情報に対応する駐車領域情報及び前記貸出済車両情報に対応する駐車領域情報が同一であるか否かを判定する乗換判定部と、該乗換判定部の判定結果に応じた報知を前記通信装置又は制御装置に行わせる情報を該通信装置又は制御装置に送信する報知情報送信部とを備えることを特徴とする。
【００１４】
本発明にあっては、制御装置は、駐車領域に入庫した車両に係る入庫車両情報を取得部にて取得する。制御装置は、取得部が取得した入庫車両情報と該入庫車両情報に対応する車両が入庫した駐車領域に係る駐車領域情報とを対応付けて入庫情報送信部にて中央装置に送信する。中央装置は、先の貸出予約によって貸出済みの貸出済車両に係る貸出済車両情報を、貸出予約車両が駐車している駐車領域に係る駐車領域情報に対応付けて記憶部に記憶する。中央装置は、入庫情報送信部が送信した入庫車両情報及び該入庫車両情報に対応する駐車領域情報を入庫情報受信部にて受信する。中央装置は、入庫情報受信部により受信された入庫車両情報と記憶部に記憶された貸出済車両情報とが同一で、かつ入庫車両情報に対応する駐車領域情報と貸出済車両情報に対応する駐車領域情報とが同一であるか否かを乗換判定部にて判定する。中央装置は、乗換判定部の判定結果に応じた報知を送信元に行わせる情報を通信装置又は制御装置に報知情報送信部にて送信する。従って、中央装置は、貸出予約車両が駐車している駐車領域に駐車された車両が、貸出済車両又は他の車両であるかどうかを判定することができる。そのため、例えば、ユーザによって貸出予約車両が駐車している駐車領域に貸出済車両が駐車されたときは、乗換が完了した旨の報知を通信装置又は制御装置にさせることができる。また、例えば、貸出予約車両が駐車している駐車領域に貸出済車両以外の他の車両が駐車されたときは、駐車を禁ずる旨を制御装置に報知させることができる。
【００１５】
本発明に係る車両貸出システムは、前記制御装置は、駐車領域から車両が出庫したか否かを判定する出庫判定部と、該出庫判定部が出庫したと判定した駐車領域に係る駐車領域情報を前記中央装置に送信する出庫情報送信部とを備え、前記中央装置は、車両が駐車する駐車領域に係る駐車領域情報に対応付けて、該車両に係る車両情報を前記記憶部に記憶するようにしてあり、前記出庫情報送信部が送信した駐車領域情報を受信する出庫情報受信部と、該出庫情報受信部が受信した駐車領域情報に対応する駐車領域が、前記貸出予約車両が駐車する駐車領域であるか否かを判定する貸出予約車両出庫判定部と、該貸出予約車両出庫判定部が、前記貸出予約車両が駐車する駐車領域であると判定した後に計時を開始する計時部とを備え、前記入庫車両情報及び前記貸出済車両情報が同一で、かつ該入庫車両情報に対応する駐車領域情報及び前記貸出済車両情報に対応する駐車領域情報が同一であると、前記計時部が計時を開始してから所定時間以上経過するまでに前記乗換判定部が判定しなかった場合、その旨を報知させる情報を前記通信装置又は制御装置に送信するようにしてあることを特徴とする。
【００１６】
本発明にあっては、制御装置は、駐車領域から車両が出庫したか否かを出庫判定部にて判定する。制御装置は、出庫判定部が出庫したと判定した駐車領域に係る駐車領域情報を出庫情報送信部にて中央装置に送信する。中央装置は車両が駐車する駐車領域に係る駐車領域情報に対応付けて、車両に係る車両情報を記憶部に記憶する。中央装置は、出庫情報送信部が送信した駐車領域情報を出庫情報受信部にて受信する。中央装置は、出庫情報受信部が受信した駐車領域情報に対応する駐車領域が、貸出予約車両が駐車する駐車領域であるか否かを貸出予約車両出庫判定部にて判定する。中央装置は、貸出予約車両が駐車する駐車領域であると予約車両出庫判定部が判定した後に計時部にて計時を開始する。中央装置は、入庫車両情報及び貸出済車両情報が同一で、かつ該入庫車両情報に対応する駐車領域及び該貸出済車両情報に対応する駐車領域情報が同一であると、計時部が計時を開始してから所定時間以上経過するまでに乗換判定部が判定しなかった場合、その旨を報知させる情報を通信装置または制御装置に送信する。従って、貸出予約車両を駐車領域から出庫した後、所定時間以上貸出済車両をその駐車領域に駐車しなかった場合、例えば、乗換が完了していない旨を制御装置又は通信装置に報知させることができる。
【００１７】
本発明に係る車両貸出システムは、前記車両は、バッテリを搭載し、該バッテリが出力する電力により走行する車両であり、前記制御装置は、駐車領域に駐車した車両が搭載するバッテリに電力の供給を可能に構成され、前記中央装置は、前記乗換判定部が前記入庫車両情報及び前記貸出済車両情報が同一で、かつ該入庫車両情報に対応する駐車領域情報及び前記貸出済車両情報に対応する駐車領域情報が同一であると、前記計時部が計時を開始してから所定時間以上経過するまでに判定しなかった場合、該所定時間以上経過後に前記入庫情報受信部により受信された入庫車両情報が前記貸出予約車両（又は貸出済車両）に係る車両情報（又は貸出済車両情報）と同一であるか否かを判定する入庫情報判定部と、該入庫情報判定部が同一であると判定した場合、前記車両情報（又は貸出済車両情報）を送信した制御装置に前記貸出予約車両（又は貸出済車両）が搭載するバッテリに電力の供給を禁止する制御信号を送信する給電禁止信号送信部とを備えること特徴とする。
【００１８】
本発明にあっては、車両は、バッテリを搭載し、バッテリが出力する電力により走行する車両である。制御装置は、駐車領域に駐車した車両が搭載するバッテリに電力の供給を可能に構成される。中央装置は、乗換判定部が入庫車両情報及び貸出済車両情報が同一で、かつ該入庫車両情報に対応する駐車領域情報及び前記貸出済車両情報に対応する駐車領域情報が同一であると、計時部が計時を開始してから所定時間以上経過するまでに判定しなかった場合、所定時間以上経過後に入庫情報受信部により受信された入庫車両情報が貸出予約車両（又は貸出済車両）に係る車両情報（又は貸出済車両情報）と同一であるかを入庫情報判定部にて判定する。中央装置は入庫情報判定部が同一であると判定した場合、貸出予約車両に係る車両情報（又は貸出済車両情報）を送信した制御装置に貸出予約車両（又は貸出済車両）が搭載するバッテリに電力の供給を禁止する制御信号を給電禁止信号送信部にて送信する。従って、制御装置は、例えば乗り換えが正しく行われなかった貸出予約車両又は貸出済車両の電力の供給を禁止することができる。
【００１９】
本発明に係る中央装置は、車両が出庫可又は不可の状態で駐車することができる一又は複数の駐車領域に駐車する一または複数の車両夫々に係る車両情報を記憶する記憶部を備え、前記一又は複数の車両における貸出予約に係る予約情報を外部から受信し、受信した予約情報及び前記記憶部が記憶する車両情報に基づいて、前記貸出予約に係る貸出予約車両が出庫不可の状態から出庫可の状態となるように制御する制御装置と通信を行う中央装置であって、前記予約情報を受信したとき、前記貸出予約車両が出庫可の状態となることを禁止させる制御信号を前記制御装置に送信する禁止信号送信部と、前記制御装置に前記貸出予約車両が出庫可の状態となるように制御させるべき暗証情報を生成する生成部と、該生成部が生成した暗証情報を前記予約情報の送信元に送信する暗証情報送信部とを備えることを特徴とする。
【００２０】
本発明にあっては、禁止信号送信部は、予約情報を受信したとき貸出予約車両が出庫可の状態となることを禁止させる制御信号を、制御装置に送信する。生成部は、制御装置に貸出予約車両が出庫可の状態となるように制御させるべき暗証情報を生成する。暗証情報送信部は、生成部が生成した暗証情報を予約情報の送信元に送信する。従って、例えば予約情報を送信することによって貸出予約車両の貸出予約をしたユーザが、暗証情報を用いて出庫可の状態に制御させることができるため、ユーザの操作にのみによって、車両を貸し出すことができる。
【００２１】
本発明に係る車両貸出方法は、車両が出庫可又は不可の状態で駐車することができる一又は複数の駐車領域に駐車している車両が、出庫不可の状態から出庫可の状態となるように制御する一又は複数の制御装置と、前記駐車領域に駐車する一又は複数の車両における貸出予約に係る予約情報を送信する通信装置と、前記一又は複数の車両夫々に係る車両情報を記憶する記憶部を備え、前記通信装置から送信された予約情報を受信し、受信した予約情報及び前記記憶部が記憶する車両情報に基づいて、前記貸出予約に係る貸出予約車両が出庫可の状態となるように制御する制御装置と通信を行う中央装置とを備える車両貸出システムによる車両貸出方法において、前記中央装置は、前記通信装置から前記予約情報を受信した場合、前記貸出予約車両が出庫可の状態となることを禁止させる制御信号を前記制御装置に送信するステップを実行し、前記制御装置は、前記中央装置から送信された制御信号に基づいて、前記貸出予約車両が出庫可の状態となることを禁止するステップを実行し、前記中央装置は更に、前記制御装置に前記貸出予約車両が出庫可の状態になるように制御させるべき暗証情報を生成するステップと、生成した暗証情報を前記通信装置に送信するステップとを実行し、前記通信装置は、前記中央装置から送信された暗証情報を受信するステップと、受信した暗証情報を外部に報知するステップとを実行することを特徴とする。
【００２２】
本発明にあっては、中央装置は、通信装置から予約情報を受信した場合、貸出予約車両が出庫可の状態となることを禁止する制御信号を制御装置に送信するステップを実行する。制御装置は中央装置から送信された制御信号に基づいて、貸出予約車両が出庫可の状態となることを禁止するステップを実行する。中央装置は更に、制御装置に貸出予約車両を出庫可の状態になるように制御させるべき暗証情報を生成するステップと、生成した暗証情報を通信装置に送信するステップとを実行する。通信装置は、中央装置から送信された暗証情報を受信するステップと、受信した暗証情報を外部に報知するステップとを実行する。従って、通信装置のユーザは、報知された暗証番号を用いて貸出予約車両を出庫可とすることができるため、車両をユーザからの操作のみにより貸し出すことができる。
【発明の効果】
【００２３】
本発明によれば、ユーザからの操作のみにより車両を貸し出すことができる車両貸出システム、中央装置、及び車両貸出方法を提供することができる。
【図面の簡単な説明】
【００２４】
【図１】実施の形態１における車両貸出システムの全体の構成を模式的に示す構成図である。
【図２】携帯端末の構成を示すブロック図である。
【図３】充電スタンドの構成を示すブロック図である。
【図４】中央装置の構成を示すブロック図である。
【図５】駐車車両テーブルの具体例を示す説明図である。
【図６】使用状況テーブルの具体例を示す説明図である。
【図７】予約情報テーブルの具体例を示す説明図である。
【図８】給電禁止テーブルの具体例を示す説明図である。
【図９】乗換車両候補に係る車両情報を取得するときの車両貸出システムの処理手順を示すフローチャートである。
【図１０】乗換車両候補の予約を行うための処理に係る車両貸出システムの処理手順を示すフローチャートである。
【図１１】予約処理のサブルーチンを示すフローチャートである。
【図１２】貸出予約車両を駐車領域から出庫させるための車両貸出システムの処理手順を示すフローチャートである。
【図１３】貸出予約車両が駐車している駐車領域に貸出済車両を駐車させるときの車両貸出システムにおける充電スタンドの処理手順を示すフローチャートである。
【図１４】貸出予約車両が駐車している駐車領域に貸出済車両を駐車させるときの車両貸出システムにおける中央装置の処理手順を示すフローチャートである。
【図１５】実施の形態２における乗換車両候補の予約を行うための処理に係る車両貸出システムの処理手順を示すフローチャートである。
【図１６】貸出予約車両を駐車領域から出庫させるときの車両貸出システムにおける充電スタンドの処理手順を示したフローチャートである。
【発明を実施するための形態】
【００２５】
以下、本発明をその実施の形態を示す図面に基づいて詳述する。
【００２６】
（実施の形態１）
図１は、実施の形態１における車両貸出システム１００の全体の構成を模式的に示す構成図である。実施の形態１における車両貸出システム１００は、中央装置１と、通信装置に相当する携帯端末２とを含んで構成される。中央装置１は、複数のユーザが共同で使用可能な複数の車両３に係る車両情報を記憶している。車両情報とは、例えば車両３の車種等の属性に関する情報であり、後に詳述する。中央装置１は、ネットワークＮを介して、複数の駐車場４に設けられている各充電スタンド５と通信を行って、車両情報を取得し、取得した車両情報を記憶する。ネットワークＮは、デジタル回線網や光ファイバ網等のインターネット及び携帯電話網を含んで構成される。
【００２７】
車両３は、電気自動車であり、ＥＶ−ＥＣＵ（Electric Vehicle-Electric Control Unit）３１を備える。ＥＶ−ＥＣＵ３１は、車両３のバッテリへの給電の制御並びに車内及び車外との通信を行うように構成されている。ＥＶ−ＥＣＵ３１は、車内及び車外との通信機能を有しており、携帯端末２の要求に応じて、車両３に係る車両情報を取得し、取得した車両情報を携帯端末２に送信する。
【００２８】
駐車場４は、車両３が駐車可能な駐車領域４ａを備える。各駐車領域４ａは、制御装置に相当する充電スタンド５を設けている。充電スタンド５は、ケーブル６を備える。ケーブル６は、一端部は充電スタンド５に接続され、他端部は後述のコネクタ（図３参照）に接続される。充電スタンド５は、コネクタを電気自動車又はハイブリッド自動車等の車両に接続することにより、ケーブル６を介して電気自動車又はハイブリッド自動車等の車両が搭載するバッテリを充電することができる。充電スタンド５は、充電の際に充電対象となる車両３と、ケーブル６を介して電力線通信（ＰＬＣ（Power Line Communication））を行うことができる。充電スタンド５は、電力線通信によって車両３に係る車両情報を取得し、ネットワークＮを介して中央装置１へ取得した情報を送信する。また、充電スタンド５は、ケーブルの一端部に接続するコネクタと車両３とが接続しているときに、コネクタの取外しの可又は不可を制御することによって、車両３が出庫可又は出庫不可の状態となるように制御する。
【００２９】
携帯端末２は、車両３を使用するユーザに使われ、中央装置１及びＥＶ−ＥＣＵ３１と無線通信を行う。携帯端末２は、無線基地局ＢＳ及びネットワークＮを介して中央装置１と無線通信を行う。携帯端末２は無線基地局ＢＳとの間で、Ｗ−ＣＤＭＡ（Wideband Code Division Multiple Access）、ＣＤＭＡ２０００、ＬＴＥ（Long Term Evolution）、又は無線ＬＡＮ等により無線通信が行われる。携帯端末２は、ＥＶ−ＥＣＵ３１との間で、赤外線、Ｂｌｕｅｔｏｏｔｈ（登録商標）、無線ＬＡＮ等により無線通信を行う。
【００３０】
以下、車両貸出システム１００の使用例を説明する。ユーザは携帯端末２を用いて、ＥＶ−ＥＣＵ３１から使用中の車両３（以下、貸出済車両とも称する）の車両情報を取得する。次いで、ユーザは、携帯端末２を用いて中央装置１に貸出済車両の車両情報を送信する。中央装置１は、受信した貸出済車両の車両情報に基づいて乗り換える候補となる車両３（以下、乗換車両候補とも称する）の車両情報を検索し、携帯端末２に検索した車両情報を送信する。ユーザは、受信した乗換車両候補の車両情報を、携帯端末２を用いて閲覧する。
【００３１】
次いでユーザは携帯端末２を用いて、閲覧した乗り換える候補となる車両３の車両情報から、乗り換える車両３（以下、貸出予約車両とも称する）を中央装置１と通信を行うことにより予約する。このとき、中央装置１は、貸出予約車両が駐車する駐車領域４ａがもうけている充電スタンド５に貸出予約車両が出庫可の状態となるように制御させるべき暗証情報を、携帯端末２へ送信する。
【００３２】
その後、ユーザは携帯端末２に送信された暗証情報を用いて貸出予約車両を駐車領域４ａから出庫する。その後、ユーザは貸出予約車両が駐車していた駐車領域４ａに貸出済車両を駐車し、該駐車領域４ａに設けている充電スタンド５にケーブル６を介して貸出済車両を接続することにより車両の乗り換えを行う。ユーザは、一又は複数回に亘って貸出予約車両に乗り換え、最後に乗り換えた貸出予約車両を駐車領域４ａに返却し、中央装置１によって課金処理が行われる。
【００３３】
図２は、携帯端末２の構成を示すブロック図である。携帯端末２が備える制御部２１は、例えば一又は複数のＣＰＵ(Central Processing Unit)、マルチコアＣＰＵ等により構成される。また制御部２１には、バスを介して、一時記憶部２２、記憶部２３、出力部２４、操作部２５、第１通信部２６、第２通信部２７、及び位置検出部２８が接続されている。制御部２１は後述の記憶部２３に記憶されている制御プログラム２３ａを読出し、各部を制御する。
【００３４】
一時記憶部２２は、ＳＲＡＭ(Static RAM)、ＤＲＡＭ(Dynamic RAM)等のメモリにより構成される。一時記憶部２２は、制御部２１が制御プログラム２３ａによる処理を行うことによって生ずる各種データを一時記憶する。
【００３５】
記憶部２３は、ＥＥＰＲＯＭ(Electrically Erasable and Programmable ROM)、フラッシュメモリ等の不揮発性メモリにより構成される。記憶部２３には、制御プログラム２３ａが記憶されている。制御プログラム２３ａは、ＥＶ−ＥＣＵ３１及び中央装置１との通信により行う処理内容と、携帯端末２が備える各部を制御するための処理内容とが記載されたプログラムである。また、記憶部２３には、携帯端末２を使用するユーザＩＤが記憶されている。
【００３６】
出力部２４には、ディスプレイ２４ａと、スピーカ２４ｂとが接続されている。出力部２４は、制御部２１から出力される信号に基づき、ディスプレイ２４ａに画像を表示させ、スピーカ２４ｂに音声を出力させる。
【００３７】
操作部２５は、ユーザの操作を受け付ける押しボタン、タッチパネル等のユーザインターフェースにより構成される。操作部２５は、ユーザの操作により受け付けた情報を制御部２１に出力する。
【００３８】
第１通信部２６は、Ｗ−ＣＤＭＡ、ＣＤＭＡ２０００、ＬＴＥ、又は無線ＬＡＮ等により無線通信を行い、無線基地局ＢＳとの通信接続制御を行う。第１通信部２６は、無線基地局ＢＳを介してネットワークＮと接続可能に構成され、中央装置１と情報の送受信を行う。
【００３９】
第２通信部２７は、ＥＶ−ＥＣＵ３１との通信接続制御を行い、例えば赤外線、Ｂｌｕｅｔｏｏｔｈ（登録商標）、無線ＬＡＮ等の各規格に準拠して構成される。
【００４０】
位置検出部２８は、ＧＰＳ（Global Positioning System）衛星からのＧＰＳ電波を受
信する受信機等により構成され、携帯端末２の位置を検出する。検出した携帯端末２の位置の情報は制御部２１に出力される。
【００４１】
図３は、充電スタンド５の構成を示すブロック図である。充電スタンド５が備える制御部５１は、例えば一又は複数のＣＰＵ、マルチコアＣＰＵ等により構成される。また制御部５１には、バスを介して、一時記憶部５２、記憶部５３、通信部５４、及び入出力部５５が接続されている。制御部５１は、後述の記憶部５３に記憶されている制御プログラム５３ａを読出し、各部を制御する。
【００４２】
一時記憶部５２は、ＳＲＡＭ、ＤＲＡＭ等のメモリにより構成される。一時記憶部５２は、制御部５１が制御プログラム５３ａによる処理を行うことによって生ずる各種データを一時記憶する。
【００４３】
記憶部５３は、ＥＥＰＲＯＭ、フラッシュメモリ等の不揮発性メモリにより構成される。記憶部５３には、制御プログラム５３ａが記憶されている。制御プログラム５３ａは、車両３への給電制御に係る処理内容と、車両３及び中央装置１との通信により行う処理内容と、充電スタンド５が備える各部を制御するための処理内容とが記述されたプログラムである。また、記憶部５３には、充電スタンド５を識別する充電スタンドＩＤが記憶されている。
【００４４】
通信部５４は、ネットワークＮと接続可能に構成され、中央装置１と情報の送受信を行う。
【００４５】
入出力部５５には、ディスプレイ５６及び操作部５７、及びＰＬＣ回路５８が接続されている。ディスプレイ５６は、制御部５１から出力される信号に基づき画像を表示する。
【００４６】
操作部５７は、ユーザの操作を受け付ける押しボタン、タッチパネル等のユーザインターフェースにより構成される。操作部５７は、ユーザの操作により受け付けた情報を、入出力部５５を介して制御部５１に出力する。
【００４７】
ＰＬＣ回路５８は、電源７、入出力部５５及びケーブル６に接続される。ＰＬＣ回路５８は、ＡＣ／ＤＣ変換、安定化回路及びスイッチング回路を備え、車両３へ電力を供給する。そのときＰＬＣ回路５８は、接続された電源７から電力を取得し、ケーブル６及びコネクタ５９を介して車両３のバッテリへ送電する。また、ＰＬＣ回路５８は、入出力部５５を介して制御部５１から出力される情報を伝送し、ＥＶ−ＥＣＵ３１と電力線通信ができるように構成される。
【００４８】
ケーブル６は、複数の電力線で構成されており、一端部にコネクタ５９を有する。コネクタ５９は車両３の外面に設けられた取付部（図示略）と接続可能である。また、コネクタ５９はロック機構５９ａを有する。ロック機構５９ａはコネクタ５９が取付部に接続されている状態から取外しできないようにロックするためのアクチュエータを含む。制御部５１は、指令によりアクチュエータを動作させることで、コネクタ５９の取外しの可又は不可を制御する。ここで、制御部５１は、コネクタ５９が車両３を充電するべく取付部に接続されたことを検知可能であり、例えば、入出力部５５及び取付部を介して車両３のＥＶ−ＥＣＵ３１と通信接続ができたことにより、コネクタ５９が車両３に接続したことを検知する。また、制御部５１は、コネクタ５９が車両３から取り外されたことを検知可能である。制御部５１は例えば、入出力部５５を介して車両３のＥＶ−ＥＣＵ３１と通信接続された状態から、所定時間に亘って通信ができなくなったことにより、コネクタ５９が車両３から取り外されたことを検知する。
【００４９】
図４は、中央装置１の構成を示すブロック図である。中央装置１は、各構成部の動作を制御する制御部１１を備える。制御部１１は、例えば一又は複数のＣＰＵ、マルチコアＣＰＵ等により構成される。また制御部１１には、バスを介して、一時記憶部１２、記憶部１３、通信部１４、入出力部１５、及び計時部１６が接続されている。制御部１１は後述の記憶部１３に記憶されている制御プログラム１３ａを読出し、各部を制御する。
【００５０】
一時記憶部１２は、ＳＲＡＭ、ＤＲＡＭ等のメモリにより構成される。一時記憶部１２は、制御部１１が制御プログラム１３ａによる処理を行うことによって生ずる各種データを一時記憶する。
【００５１】
記憶部１３は、ＥＥＰＲＯＭ、フラッシュメモリ、ＨＤＤ（Hard Disk Drive）等の不
揮発性メモリにより構成される。記憶部１３には、制御プログラム１３ａが記憶されている。制御プログラム１３ａは、中央装置１が携帯端末２及び充電スタンド５との通信により行う処理内容と、中央装置１が備える各部を制御するための処理内容とが記載されたプログラムである。
【００５２】
また、記憶部１３には、乗換車両候補に係る車両情報を携帯端末２に送信するために、ユーザ、車両、及び料金体系等に係るマスタ情報として、ユーザマスタ１３ｂ、車両マスタ１３ｃ、料金マスタ１３ｄ、駐車場マスタ１３ｅが記憶されている。ユーザマスタ１３ｂには、車両貸出システム１００を使用するユーザについての情報が、ユーザを識別するユーザＩＤ毎に記憶されている。ユーザについての情報とは、例えば、年齢、性別、生年月日、クレジットカード番号等のユーザの属性に関する情報である。
【００５３】
車両マスタ１３ｃには、中央装置１が管理する車両３の車両情報が、その車両を識別する車両ＩＤ毎に記憶されている。車両情報とは、車種、乗員可能人数、トランスミッション方式等の車両の属性に関する情報である。
【００５４】
料金マスタ１３ｄは、車両貸出システム１００の使用料金についての情報が記憶されている。使用料金についての情報とは、ユーザが車両３を使用して走行した距離に応じた従量課金のプラン、ユーザが車両３を使用した時間に応じた従量課金のプラン、車両３の乗換回数に応じた従量課金のプラン、定額のプラン等の料金体系についての情報である。
【００５５】
駐車場マスタ１３ｅは、中央装置１が管理する駐車場４の駐車場情報が、駐車場を識別する駐車場ＩＤ毎に記憶されている。駐車場情報とは、駐車場４の位置に係る情報、駐車場４が有する駐車領域数、駐車場４が管理する充電スタンド５を識別する充電スタンドＩＤ等の駐車場４に関する情報である。
【００５６】
更に、記憶部１３には駐車車両テーブル１３ｆ、使用状況テーブル１３ｇ、予約情報テーブル１３ｈ、給電禁止テーブル１３ｉが記憶されている。駐車車両テーブル１３ｆには、駐車場４に駐車している車両３についての情報が記憶されている。使用状況テーブル１３ｇには、ユーザが車両３を使用している状況の情報が記憶されている。予約情報テーブル１３ｈには、ユーザが予約した貸出予約車両及び貸出予約車両が駐車している駐車領域４ａに係る情報が記憶されている。給電禁止テーブル１３ｉには、充電スタンド５からの給電を禁止する車両３等の情報が記憶されている。なお、各テーブルについての詳細は後述する。
【００５７】
ここで、記憶部１３に記憶されているマスタ情報及びテーブル情報は、例えば関係モデルにより、互いがユーザＩＤ、車両ＩＤ、充電スタンドＩＤ等のＩＤにより対応付けて記憶されている。
【００５８】
通信部１４は、ネットワークＮと接続可能に構成され、携帯端末２及び充電スタンド５と情報の送受信を行う。
【００５９】
入出力部１５は、外部からキーボード、ディスプレイ等の入出力装置が接続され、入出力装置からの入力信号を制御部１１に出力し、制御部１１からの出力信号を入出力装置に出力する。
【００６０】
計時部１６は、タイマ又はリアルタイムクロックによって構成され、制御部１１の要求に応じ計時処理を行い、計時した時間を制御部１１へ出力する。
【００６１】
図５は、駐車車両テーブル１３ｆの具体例を示す説明図である。駐車車両テーブル１３ｆには、車両ＩＤ毎に、その車両ＩＤに対応する車両３が駐車している駐車場４の駐車場ＩＤ、その車両３が駐車している駐車領域４ａに設けられた充電スタンド５の充電スタンドＩＤ、その車両３のバッテリの残容量、及び予約フラグが記憶されている。予約フラグとは、車両ＩＤに対応する車両３の使用が予約されているか否かを示す。予約フラグの値が０のときは、車両３が予約されていないことを示し、値が１のときは、車両３が予約されていることを示す。ここで、駐車車両テーブル１３ｆ、車両マスタ１３ｃ、及び駐車場マスタ１３ｅにより、車両３の車両情報は、駐車場４に係る情報に対応付けて記憶されている。
【００６２】
図６は、使用状況テーブル１３ｇの具体例を示す説明図である。使用状況テーブル１３ｇには、ユーザＩＤ毎に、ユーザが契約している料金プラン、走行距離、走行時間、車両３の乗換回数、及び現在使用している貸出済車両の車両ＩＤが記憶されている。走行距離は、ユーザＩＤに対応するユーザが使用した車両３の走行距離の総計である。例えば、ユーザが車両３を１回乗り換えた場合、走行距離はユーザが使用した２台分の車両３における走行距離の総計である。走行時間は、ユーザＩＤに対応するユーザが使用した車両３の走行時間の総計である。
【００６３】
図７は、予約情報テーブル１３ｈの具体例を示す説明図である。予約情報テーブル１３ｈには、ユーザＩＤ毎に、乗換車両として予約した車両３の車両ＩＤ及び予約した車両３が駐車する駐車領域４ａに設けられた充電スタンド５の充電スタンドＩＤが記憶されている。
【００６４】
図８は、給電禁止テーブル１３ｉの具体例を示す説明図である。給電禁止テーブル１３ｉには、第１車両ＩＤ、第２車両ＩＤ、及び充電スタンドＩＤを一つのレコードとして、複数のレコードが記憶されている。第１車両ＩＤは、ユーザが使用中の貸出済車両の車両ＩＤを示す。第２車両ＩＤは、貸出予約車両の車両ＩＤを示す。充電スタンドＩＤは、貸出予約車両が駐車している駐車領域４ａが設けている充電スタンド５を識別するＩＤである。
【００６５】
図９は、乗換車両候補に係る車両情報を取得するときの車両貸出システム１００の処理手順を示すフローチャートである。携帯端末２の制御部２１は、貸出済車両情報の送信要求を貸出済車両が備えるＥＶ−ＥＣＵ３１に送信する（ステップＳ１１）。貸出済車両情報とは、貸出済車両の車両情報であり、例えば貸出済車両を識別する車両ＩＤ、貸出済車両が搭載するバッテリの残容量を含む情報である。次いで、制御部２１は、ＥＶ−ＥＣＵ３１から貸出済車両情報を受信したか否かを判定する（ステップＳ１２）。受信していないと判定した場合（Ｓ１２：ＮＯ）、制御部２１は、ＥＶ−ＥＣＵ３１から貸出済車両情報を受信するまで処理を待つ。
【００６６】
貸出済車両情報を受信したと判定した場合（Ｓ１２：ＹＥＳ）、制御部２１は、第１通信部２６に指令を出し、検索情報を中央装置１に送信する（ステップＳ１３）。検索情報とは、乗換車両候補に係る情報を取得するための情報であり、ＥＶ−ＥＣＵ３１から取得した貸出済車両情報及び位置検出部２８が検出した位置情報が含まれる。
【００６７】
中央装置１は、携帯端末２から検索情報を通信部１４にて受信する（ステップＳ１４）。次いで、中央装置１の制御部１１はステップＳ１４で受信した検索情報に基づいて、乗換車両候補となる車両情報を検索する（ステップＳ１５）。例えば、制御部１１は、駐車場マスタ１３ｅ及び駐車車両テーブル１３ｆを参照し、検索情報に含まれる貸出済車両情報及び位置情報に基づいて、貸出済車両が到達可能な駐車場に駐車し、バッテリの残容量が所定値以上の予約されていない車両３を検索する。所定値は、その所定値以上のバッテリの残容量を持つ車両３の走行可能な距離が極端に短くならないように設定された値で、例えば６０％である。
【００６８】
次いで、制御部１１は通信部１４に指令を出し、ステップＳ１４で受信した検索情報の送信元の携帯端末２にステップＳ１５で検索した乗換車両候補の車両情報を送信する（ステップＳ１６）。
【００６９】
携帯端末２は、ステップＳ１６で中央装置１から送信された乗換車両候補の車両情報を第１通信部２６にて受信する（ステップＳ１７）。次いで、携帯端末２の制御部２１は、
乗換車両候補の車両情報をディスプレイ２４ａにて報知し（ステップＳ１８）、処理を終える。具体的には、乗換車両候補の車両情報をリスト形式でディスプレイ２４ａに表示する。なお、ステップＳ１８においては、スピーカ２４ｂにより報知するようにしてもよい。
【００７０】
図９の処理を中央装置１及び携帯端末２が行うことによって、貸出済車両のユーザは、携帯端末２を用いて乗換車両候補の車両情報を得ることができる。なお、図９中のステップＳ１６において、乗換車両候補が駐車している駐車場４の位置等の情報を併せて送信してもよい。その場合、携帯端末２はステップＳ１８においてディスプレイ２４ａに地図を表示し、乗換車両候補の位置をプロットすることにより、ユーザの利便性がより高くなる。
【００７１】
貸出済車両のユーザは、乗換車両候補の車両情報を携帯端末２により取得した後、以下に説明する処理によって、一の乗換車両候補を貸出予約車両として予約することができる。
【００７２】
図１０は、乗換車両候補の予約を行うための処理に係る車両貸出システム１００の処理手順を示すフローチャートである。携帯端末２の制御部２１は、予約情報を生成する（ステップＳ２１）。具体的には、制御部２１は、図９中のステップＳ１８で報知した乗換車両候補の車両情報を基に、ユーザが操作部２５を介して選択した一の車両情報の車両ＩＤと予約情報であることを識別する情報とを含む予約情報を生成する。その後、制御部２１は第１通信部２６に指令を出し、生成した予約情報を中央装置１へ送信する（ステップＳ２２）。
【００７３】
中央装置１は、携帯端末２より送信された予約情報を通信部１４にて受信する（ステップＳ２３）。中央装置１の制御部１１は、受信した予約情報を一時記憶部１２に記憶する（ステップＳ２４）。そのとき、制御部１１は例えば、受信した予約情報に含まれる予約情報であることを識別する情報に基づいて、受信した情報が予約情報であると判定した後に一時記憶部１２に記憶する。
【００７４】
次いで、制御部１１は、駐車車両テーブル１３ｆを参照し、ステップＳ２４で記憶した予約情報に含まれる車両ＩＤに対応する予約フラグの値が０か否かを判定する（ステップＳ２５）。車両ＩＤに対応する予約フラグが０でないと判定した場合（Ｓ２５：ＮＯ）、制御部１１は、通信部１４に指令を出し、予約情報に基づく予約ができないことを示す予約不可情報を送信する（ステップＳ２６）。具体的には、制御部１１は、ステップＳ２４で記憶した予約情報に含まれるユーザＩＤに基づいて予約不可情報を携帯端末２に送信する。
【００７５】
携帯端末２は、ステップＳ２６で中央装置１から送信された予約不可情報を第１通信部２６にて受信する（ステップＳ２７）。その後、携帯端末２の制御部２１は、受信した予約不可情報をディスプレイ２４ａにて報知する（ステップＳ２８）。例えば、制御部２１は、ディスプレイ２４ａに予約できなかったことを示すメッセージを表示する。なお、ステップＳ２８においては、スピーカ２４ｂにより報知するようにしてもよい。
【００７６】
予約フラグの値が０であると判定した場合（Ｓ２５：ＹＥＳ）、制御部１１は予約処理を行う（ステップＳ２９）。ステップＳ２９において、制御部１１は、ステップＳ２４で記憶した予約情報に含まれる車両ＩＤに対応する貸出予約車両が、予約情報を送信したユーザ以外に使用されないようにする。なお、ステップＳ２９における処理の詳細は後述する。
【００７７】
次いで、制御部１１は暗証情報を生成する（ステップＳ３０）。制御部１１は例えば、ステップＳ２４で記憶した予約情報に含まれる車両ＩＤを乱数の種（シード）とする疑似乱数を生成することによって暗証情報を生成する。なお、制御部１１はステップＳ３０において制御プログラム１３ａを実行することにより、本発明の生成部として機能する。なお、制御部１１は、ステップＳ３０において疑似乱数を用いて暗証情報を生成したが、他の公知のワンタイムパスワードの生成方法を用いてもよい。
【００７８】
次いで、制御部１１は、ステップＳ３０で生成した暗証情報を一時記憶部１２に記憶する（ステップＳ３１）。このとき、制御部１１は、駐車車両テーブル１３ｆを参照し、ステップＳ２４で記憶した予約情報に含まれる車両ＩＤに対応する充電スタンドＩＤと対応付けて、暗証情報を一時記憶部１２に記憶する。
【００７９】
その後、制御部１１は、通信部１４に指令を出し、ステップＳ３０で生成した暗証情報を携帯端末２に送信する（ステップＳ３２）。なお、ステップＳ３２において、通信部１４は本発明の暗証情報送信部に相当する。
【００８０】
携帯端末２は、送信された暗証情報を第１通信部２６にて受信する（ステップＳ３３）。なお、ステップＳ３３において、第１通信部２６は本発明の暗証情報受信部に相当する。携帯端末２の制御部２１は、受信した暗証情報をディスプレイ２４ａにて報知し（ステップＳ３４）、処理を終える。具体的には、制御部２１は、ディスプレイ２４ａに暗証情報を表示する。なお、ステップＳ３４において、ディスプレイ２４ａは本発明の暗証情報報知部に相当する。また、ステップＳ３４においては、スピーカ２４ｂにより報知するようにしてもよい。
【００８１】
図１１は、予約処理のサブルーチンを示すフローチャートである。中央装置１の制御部１１は、図１０中のステップＳ２４で一時記憶部１２に記憶した予約情報に含まれる車両ＩＤに対応する充電スタンドＩＤを抽出する（ステップＳ２０１）。具体的には、制御部１１は駐車車両テーブル１３ｆを参照し、ステップＳ２４で記憶した車両ＩＤと対応付けて記憶されている充電スタンドＩＤを抽出する。次いで、制御部１１はステップＳ２０１で抽出した充電スタンドＩＤに対応する充電スタンド５に出庫不可に係る制御信号を通信部１４に指令を出すことにより送信する（ステップＳ２０２）。出庫不可に係る制御信号とは、車両３の取付部から充電スタンド５のコネクタ５９の取外しを禁止することによって、車両３が出庫可の状態とならないように制御をさせる信号である。なお、ステップＳ２０２において、通信部１４は禁止信号送信部に相当する。
【００８２】
充電スタンド５は、ステップＳ２０２で中央装置１から送信された制御信号を通信部５４にて受信する（ステップＳ２０４）。その後、充電スタンド５の制御部５１は、受信した制御信号に基づいてコネクタ取外し禁止制御を行い（ステップＳ２０５）、処理を終える。コネクタ取外し禁止制御とは、制御部５１が入出力部５５を介してコネクタ５９のロック機構５９ａを動作させ、車両３の取付部からコネクタ５９の取外しができないようにする制御である。
【００８３】
中央装置１の制御部１１は、ステップＳ２０２における処理を行った後、記憶部１３に記憶されているテーブルを更新する（ステップＳ２０３）。具体的には、駐車車両テーブル１３ｆにおいては、制御部１１は、図１０中のステップＳ２４で記憶した予約情報に含まれる車両ＩＤを持つレコードの予約フラグの値を０から１に変更する。予約情報テーブル１３ｈにおいては、制御部１１は、ステップＳ２４で記憶した予約情報に含まれる車両ＩＤ及びユーザＩＤと、ステップＳ２０１で抽出した充電スタンドＩＤとを１つのレコードとして追加する。
【００８４】
その後、制御部１１は、図１０中のステップＳ３０に処理を戻す。
【００８５】
図１０及び図１１に示した処理を中央装置１、携帯端末２、貸出予約車両が駐車する駐車領域４ａに設けられる充電スタンド５が行うことにより、貸出済車両のユーザは、携帯端末２を用いて貸出予約車両として車両３の予約をすることができる。図１１中のステップＳ２０４及びステップＳ２０５の処理によって、ユーザが乗り換える貸出予約車両をユーザ以外に使用させないようにすることができる。また、ステップＳ２０３の処理によって、駐車車両テーブル１３ｆの貸出予約車両に対応する車両ＩＤを持つレコードにおいて、予約フラグの値を１に変更することができる。そのため、図９中のステップＳ１５の処理によってユーザが貸出予約車両として予約しようとする車両３を乗換車両候補として検索することができないため、他のユーザによって当該車両３を先に予約されることを防ぐことができる。
【００８６】
その後、貸出済車両のユーザは、以下に説明する処理を車両貸出システム１００が行うことによって、貸出予約車両を駐車領域４ａから出庫させることができる。
【００８７】
図１２は、貸出予約車両を駐車領域４ａから出庫させるための車両貸出システム１００の処理手順を示すフローチャートである。充電スタンド５の制御部５１は、操作部５７から暗証情報の入力を受け付けたか否かを判定する（ステップＳ４１）。暗証情報の入力を受け付けていないと判定した場合（Ｓ４１：ＮＯ）、制御部５１は、暗証情報の入力を受け付けるまで処理を待つ。なお、ステップＳ４１において、操作部５７は本発明の受付部に相当する。
【００８８】
暗証情報の入力を受け付けたと判定した場合（Ｓ４１：ＹＥＳ）、制御部５１は、通信部５４に指令を出し、入力を受け付けた暗証情報及び記憶部５３に記憶されている充電スタンドＩＤを互いに対応付けて、中央装置１に送信する（ステップＳ４２）。なお、ステップＳ４２において、通信部５４は本発明の受付情報送信部に相当する。
【００８９】
中央装置１は、充電スタンド５から送信された暗証情報及び充電スタンドＩＤを通信部１４にて受信する（ステップＳ４３）。次いで、中央装置１の制御部１１は、暗証情報が一致するか否かを判定する（ステップＳ４４）。具体的には、制御部１１は、図１０中のステップＳ３１で一時記憶部１２に記憶した暗証情報及び対応する充電スタンドＩＤと、ステップＳ４３で受信した暗証情報及び充電スタンドＩＤとが一致するか否かによって判定する。なお、ステップＳ４３において、通信部１４は本発明の受付情報受信部に相当する。また、制御部１１はステップＳ４４において制御プログラム１３ａを実行することにより本発明の判定部として機能する。
【００９０】
暗証情報が一致しないと判定した場合（Ｓ４４：ＮＯ）、制御部１１は、通信部１４に指令を出し、暗証情報が一致しなかったことを示す認証不可情報を、ステップＳ４３で受信した充電スタンドＩＤに対応する充電スタンド５に送信する（ステップＳ４５）。
【００９１】
充電スタンド５は、ステップＳ４５で中央装置１から送信された認証不可情報を通信部５４にて受信する（ステップＳ４６）。その後、充電スタンド５の制御部５１は、ステップＳ４６で受信した認証不可情報をディスプレイ５６にて報知する（ステップＳ４７）。例えば、制御部５１は、ディスプレイ５６に入力された暗証情報が認証できなかったことを示すメッセージを表示することにより報知する。
【００９２】
一方、暗証情報が一致したと判定した場合（Ｓ４４：ＹＥＳ）、中央装置１の制御部１１は、通信部１４に指令を出し、充電スタンド５に出庫可に係る制御信号を送信する（ステップＳ４８）。その際、制御部１１は、ステップＳ４３で受信した充電スタンドＩＤに対応する充電スタンド５に制御信号を送信する。なお、ステップＳ４８において、通信部１４は出庫可信号送信部に相当する。
【００９３】
充電スタンド５は、ステップＳ４８で中央装置１から送信された制御信号を通信部５４にて受信する（ステップＳ４９）。その後、充電スタンド５制御部５１は、受信した制御信号に基づいてコネクタ取外し許可制御を行う（ステップＳ５０）。具体的には、制御部５１は、貸出予約車両からコネクタ５９の取外しを可能とする制御、即ち貸出予約車両を出庫可の状態とする制御を行う。その後、制御部５１は処理を終える。
【００９４】
図１２に示した処理を中央装置１及び充電スタンド５が行うことによって、貸出済車両のユーザは、貸出予約車両を駐車領域４ａから出庫させることができる。その後、以下に説明する処理を車両貸出システム１００が行うことで貸出済車両のユーザは、貸出予約車両を駐車領域４ａから出庫させ、出庫させた駐車領域４ａに貸出済車両を入庫させることによって、乗り換えを完了させ、移動を継続する。
【００９５】
図１３は、貸出予約車両が駐車している駐車領域４ａに貸出済車両を駐車させるときの車両貸出システム１００における充電スタンド５の処理手順を示すフローチャートである。なお、以下で説明する充電スタンド５は、貸出予約車両が駐車する駐車領域４ａに設けられている充電スタンドである。
【００９６】
充電スタンド５の制御部５１は、コネクタ５９が取り外されたか否かを判定する（ステップＳ６１）。コネクタ５９が取り外されていないと判定した場合（Ｓ６１：ＮＯ）、制御部５１はコネクタ５９が取り外されるまで処理を待つ。なお、制御部５１はステップＳ６１において制御プログラム５３ａを実行することにより、本発明の出庫判定部として機能する。
【００９７】
コネクタ５９が取り外されたと判定した場合（Ｓ６１：ＮＯ）、制御部５１は、通信部５４に指令を出し、出庫情報を中央装置１に送信する（ステップＳ６２）。具体的には、出庫情報は、記憶部５３に記憶されている充電スタンドＩＤと、中央装置１が出庫情報であることを識別できる情報とを含む。なお、ステップＳ６２において、通信部５４は本発明の出庫情報送信部に相当する。
【００９８】
次いで制御部５１は、コネクタ５９が接続されたか否かを判定する（ステップＳ６３）。コネクタ５９が接続されていないと判定した場合（Ｓ６３：ＮＯ）、制御部５１はコネクタ５９が接続されるまで処理を待つ。
【００９９】
コネクタ５９が接続されたと判定した場合（Ｓ６３：ＹＥＳ）、制御部５１は、ＰＬＣ回路５８を介してコネクタ５９の接続先となる車両から、その車両が接続する車両ＩＤを取得する（ステップＳ６４）。次いで、制御部５１は通信部５４に指令を出し、入庫情報を中央装置１に送信する（ステップＳ６５）。具体的には、制御部５１は、記憶部５３に記憶されている充電スタンドＩＤ及びステップＳ６４で取得した車両ＩＤを入庫情報として中央装置１に送信する。なお、制御部５１はステップＳ６４において制御プログラム５３ａを実行することにより、本発明の取得部として機能する。また、ステップＳ６５において、通信部５４は本発明の入庫情報送信部に相当する。
【０１００】
次いで、制御部５１は、通信部５４にて報知信号を受信したか否かを判定する（ステップＳ６６）。報知信号とは、コネクタ５９が車両に接続されたときに、接続されたコネクタ５９を備える充電スタンド５に所定の報知を行わせるために、中央装置１から送信される信号である。また、報知信号は、充電スタンド５に報知をさせる報知内容及び充電スタンド５が受信した信号が報知信号であることを識別する情報を含む。なお、報知内容については後述する。
【０１０１】
報知信号を受信していないと判定した場合（Ｓ６６：ＮＯ）、制御部５１は処理をステップＳ６８に進める。一方、報知信号を受信したと判定した場合（Ｓ６６：ＹＥＳ）、制御部５１は報知信号の種類に応じた報知を行う（ステップＳ６７）。制御部５１は例えば、ステップＳ６６で受信した報知信号に含まれる報知内容をメッセージ形式でディスプレイ５６に表示する。
【０１０２】
次いで、制御部５１は、計時を開始する（ステップＳ６８）。制御部５１は例えば、図示しないタイマに指令を出す、又は図示しないリアルタイムクロックを参照し、参照した時刻を一時記憶部５２に記憶する等により時間の計測を開始する。
【０１０３】
その後、制御部５１は、通信部５４にて給電禁止信号を受信したか否かを判定する（ステップＳ６９）。給電禁止信号とは、コネクタ５９に接続されるバッテリに給電することを禁止する距離内容が含まれた信号であり、中央装置１から送信される。給電禁止信号を受信したと判定した場合（Ｓ６９：ＹＥＳ）、制御部５１は処理を終える。
【０１０４】
給電禁止信号を受信していないと判定した場合（Ｓ６９：ＮＯ）、制御部５１はステップＳ６８で計時を開始してから所定時間が経過したか否かを判定する（ステップＳ７０）。具体的には、制御部５１はステップＳ６８において、タイマを用いて計時を開始したときはタイマの計測時間を参照することにより所定時間が経過したか否かを判定する。また、制御部５１はリアルタイムクロックを用いて計時を開始したときは、ステップＳ６８において一時記憶部５２に記憶した時刻と、リアルタイムクロックを参照したときの時刻とを比較することにより所定時間が経過したか否かを判定する。
【０１０５】
所定時間が経過していないと判定した場合（Ｓ７０：ＮＯ）、制御部５１は、処理をステップＳ６９に戻す。所定時間が経過したと判定した場合（Ｓ７０：ＹＥＳ）、制御部５１は、コネクタ５９の接続先の車両が備えるバッテリへ給電制御を開始し（ステップＳ７１）、処理を終える。
【０１０６】
図１４は、貸出予約車両が駐車している駐車領域４ａに貸出済車両を駐車させるときの車両貸出システム１００における中央装置１の処理手順を示すフローチャートである。中央装置１は、充電スタンド５から送信された出庫情報を通信部１４にて受信したか否かを判定する（ステップＳ８１）。出庫情報を受信していないと判定した場合（Ｓ８１：ＮＯ）、中央装置１の制御部１１は処理を待つ。一方、出庫情報を受信したと判定した場合（Ｓ８１：ＹＥＳ）、制御部１１は、受信した出庫情報に含まれる駐車場ＩＤが予約情報テーブル１３ｈにあるか否かを判定する（ステップＳ８２）。予約情報テーブル１３ｈにないと判定した場合（Ｓ８２：ＮＯ）、制御部１１は処理をステップＳ８４に進める。なお、ステップＳ８１において、通信部１４は本発明の出庫情報受信部に相当する。また、制御部１１はステップＳ８２において制御プログラム１３ａを実行することにより、本発明の貸出予約車両出庫判定部として機能する。
【０１０７】
予約情報テーブル１３ｈにあると判定した場合（Ｓ８２：ＹＥＳ）、制御部１１はステップＳ８１で受信した出庫情報を一時記憶部１２に記憶する（ステップＳ８３）。次いで制御部１１は、計時部１６に指令を出し、計時を開始する（ステップＳ８４）。
【０１０８】
その後、制御部１１はステップＳ８３で記憶した出庫情報に対応する入庫情報を通信部１４にて受信したか否かを判定する（ステップＳ８５）。入庫情報を受信していないと判定した場合（Ｓ８５：ＮＯ）、制御部１１はステップＳ８４で計時を開始してから所定時間が経過したか否かを判定する（ステップＳ８６）。なお、ステップＳ８５において、通信部１４は本発明の入庫情報受信部に相当する。
【０１０９】
所定時間が経過していないと判定した場合（Ｓ８６：ＮＯ）、制御部１１は処理をステップＳ８５に戻す。一方、所定時間が経過したと判定した場合（Ｓ８６：ＹＥＳ）、制御部１１は通信部１４に指令を出し、受信した入庫情報に含まれる充電スタンドＩＤに対応する充電スタンド５に乗り換えの完了の要求を示す報知信号を送信する（ステップＳ８７）。乗り換えの完了とは、貸出予約車両が入庫していた駐車領域４ａに利用車両を駐車し、駐車領域に４ａに設けられている充電スタンド５のコネクタ５９を接続することを指す。ステップＳ８７で中央装置１が送信した報知信号を受信した充電スタンド５は、受信した報知信号に基づいて、乗り換えの完了を要求する報知を行う。充電スタンド５は例えば、ディスプレイ５６にメッセージの表示等により報知を行う。
【０１１０】
その後、制御部１１は、給電禁止テーブル１３ｉを更新する（ステップＳ８８）。具体的には制御部１１は、ステップＳ８３で記憶した出庫情報に含まれる充電スタンドＩＤと、該充電スタンドＩＤを持つ充電スタンド５に接続していた貸出予約車両の車両ＩＤと、該貸出予約車両を予約したユーザの利用車両の車両ＩＤとを一のレコードとして追加する。より具体的には制御部１１は、予約情報テーブル１３ｈを参照することによって、出庫情報が含む充電スタンドＩＤに対応する貸出予約車両の車両ＩＤ、及び利用車両の車両ＩＤを取得する。その後、制御部１１は、処理をステップＳ８５に戻す。
【０１１１】
ステップＳ８５において、入庫情報を受信したと判定した場合（Ｓ８５：ＹＥＳ）、制御部１１は、入庫情報に対応する情報が給電禁止テーブル１３ｉにあるか否かを判定する（ステップＳ８９）。具体的には、制御部１１は、入庫情報に含まれる車両ＩＤが給電禁止テーブル１３ｉに含まれ、かつ給電禁止テーブル１３ｉ中の当該車両ＩＤに対応する充電スタンドＩＤが、入庫情報に含まれる車両ＩＤに一致しない場合に給電禁止テーブル１３ｉにあると判定する。給電禁止テーブル１３ｉにあると判定した場合（Ｓ８９：ＹＥＳ）、制御部１１は通信部１４に指令を出し、ステップＳ７６で受信した入庫情報に含まれる充電スタンドＩＤに対応する充電スタンド５に給電禁止信号を送信し（ステップＳ９０）、処理を終える。なお、制御部１１はステップＳ８９において制御プログラム１３ａを実行することにより、本発明の入庫情報判定部として機能する。また、ステップＳ９０において、通信部１４は本発明の給電禁止信号送信部として機能する。
【０１１２】
給電禁止テーブル１３ｉにないと判定した場合（Ｓ８９：ＮＯ）、制御部１１は、ステップＳ８５で受信した入庫情報がステップＳ８３で記憶した出庫情報に対応するか否かを判定する（ステップＳ９１）。具体的には、制御部１１は、入庫情報に含まれる充電スタンドＩＤと出庫情報に含まれる充電スタンドＩＤとが一致し、かつ入庫情報に含まれる車両ＩＤと予約情報テーブル１３ｈ内の、入庫情報に含まれる充電スタンドＩＤに対応する車両ＩＤとが一致するか否かを判定する。なお、制御部１１はステップＳ９１において制御プログラム１３ａを実行することにより、本発明の乗換判定部として機能する。
【０１１３】
出庫情報に対応すると判定した場合（Ｓ９１：ＹＥＳ）、制御部１１は通信部１４に指令を出し、受信した入庫情報に含まれる充電スタンドＩＤに対応する充電スタンド５に乗り換えの完了を示す報知信号を送信し（ステップＳ９２）、処理を終える。ステップＳ６６で中央装置１から送信された報知信号を受信した充電スタンド５は、受信した報知信号に基づいて、ステップＳ６７において、乗り換えの完了を示す報知を行う。なお、ステップＳ９２において、通信部１４は本発明の報知情報送信部に相当する。
【０１１４】
出庫情報に対応しないと判定した場合（Ｓ９１：ＮＯ）、制御部１１は通信部１４に指令を出し、受信した入庫情報に含まれる充電スタンドＩＤに対応する充電スタンド５に出庫の要求を示す報知信号を送信する（ステップＳ９３）。その後、制御部１１は、給電禁止信号を対応する充電スタンド５に送信し（ステップＳ９０）、処理を終える。なお、ステップＳ９３において、通信部１４は本発明の報知情報送信部に相当する。
【０１１５】
図１３及び１４に示した処理を、中央装置１及び充電スタンド５が行うことにより、貸出済車両が、貸出予約車両が駐車していた駐車領域４ａに駐車し、充電スタンド５と接続したうえで、貸出予約車両に乗り換えて移動したか否かを判定することができる。また、貸出予約車両が出庫してから所定時間以上に亘って貸出予約車両が駐車していた駐車領域４ａに貸出済車両が駐車されなかった場合、その後給電禁止テーブル１３ｉに記憶される車両ＩＤに対応する車両３は、充電スタンド５によって給電することができない。具体的には、給電禁止テーブル１３ｉに記憶される車両ＩＤに対応する車両は、給電禁止テーブル１３ｉ内の同一レコードとして記憶される充電スタンドＩＤ以外の充電スタンドＩＤに対応する充電スタンド５から給電することができない。更に、中央装置１は、貸出済以外の車両３が、貸出予約車両が駐車していた駐車領域４ａに駐車して給電しようとしたときは、出庫の要求を示す報知信号を送信することができるため、貸出済車両の入庫が妨げられることを防ぐことができる。
【０１１６】
その後、一又は複数回に亘って、貸出予約車両に乗り換えたユーザは、最後に使用した貸出予約車両を駐車領域４ａに駐車し、充電スタンド５に接続することによって、返却を行う。返却を行ったユーザは、携帯端末２又は充電スタンド５を用いることによって、車両貸出システム１００の使用を終了したことを中央装置１に通知する。例えば、ユーザは、携帯端末２から中央装置１に課金処理を要求する情報を送信することによって、車両貸出システム１００の使用を終了したことを中央装置１に通知することができる。また、ユーザは、移動の最後に駐車した駐車領域４ａに設けられている充電スタンド５の操作部５７を操作し、充電スタンド５に通信部５４から課金処理を要求する情報を中央装置１に送信させることで、中央装置１に通知することができる。
【０１１７】
以上の構成及び処理によって、ユーザは携帯端末２を用いて中央装置１と通信を行い、乗換車両候補の車両情報を得ることができる。また、ユーザは乗換車両候補の車両情報から貸出予約車両として一の車両３を予約することができる。また、ユーザは貸出予約車両を予約したときに、中央装置１から携帯端末２に送信された暗証情報を用いることによって、貸出予約車両を出庫することができる。その後、ユーザは、貸出予約車両が駐車していた駐車領域４ａに貸出済車両を駐車させ、充電スタンド５と接続することにより、乗り換えを完了させて、出庫した貸出予約車両に乗車して移動することができる。車両貸出システム１００が以上の処理を繰り返すことにより、ユーザは複数回車両３に乗り換えて移動することができる。移動の最後に、ユーザは最後に予約した貸出予約車両を駐車領域４ａに駐車させ、充電スタンド５と接続させ、携帯端末２又は充電スタンド５を用いて中央装置１に通知を行う。その後、ユーザは、中央装置１により車両貸出システム１００の使用料金の算出及び課金処理が行われ、使用料金を支払うことができる。従って、車両貸出システム１００においては、ユーザからの操作のみにより車両３を貸し出すことができる。また、車両貸出システム１００は、貸出予約車両が駐車している駐車領域４ａに、貸出済車両を駐車することによって、乗り換えを完了させることができる。そのため、当該駐車領域４ａを備える駐車場に、空いている駐車領域４ａがなくとも、ユーザは貸出予約車両に乗り換えて移動することができる。
【０１１８】
（実施の形態２）
実施の形態１においては、中央装置１が暗証情報の認証を行い、認証結果に応じて充電スタンド５に制御信号等を送信することを説明したが、実施の形態２においては、充電スタンド５が暗証情報の認証を行い、認証結果に応じた処理を行う例を示す。なお、実施の形態２における車両貸出システム１００は、以下で説明する箇所を除くその他の構成及び作用は上述の実施の形態１と同様であるため、同様な構成に関する詳細な説明及びその作用効果の説明は簡潔のため省略する。
【０１１９】
図１５は、実施の形態２における乗換車両候補の予約を行うための処理に係る車両貸出システム１００の処理手順を示すフローチャートである。なお、ステップＳ１０１からステップＳ１１０までの処理は、図１０中のステップＳ２１〜ステップＳ３０までの処理と同様であるため、説明は省略する。また、ステップＳ１１２及びステップＳ１１３の処理は、図１０中のステップＳ３３及びステップＳ３４の処理と同様であるため、詳細な説明は省略する。
【０１２０】
中央装置１の制御部１１は、通信部１４に指令を出し、ステップＳ１１０で生成した暗証情報を携帯端末２及び充電スタンド５に送信する（ステップＳ１１１）。具体的には、制御部１１は、受信した予約情報の送信元である携帯端末２に暗証情報を送信し、受信した予約情報に含まれる車両ＩＤに対応する充電スタンドＩＤを持つ充電スタンド５に暗証情報を送信する。制御部１１は、駐車車両テーブル１３ｆを参照することによって、車両ＩＤに対応する充電スタンドＩＤを取得する。なお、ステップＳ１１１において、通信部１４は本発明の暗証情報送信部に相当する。
【０１２１】
充電スタンド５の制御部５１は、中央装置１から送信された暗証情報を通信部５４にて受信する（ステップＳ１１４）。その後、受信した暗証情報を一時記憶部５２に記憶し（ステップＳ１１５）、処理を終える。なお、ステップＳ１１４において、通信部５４は本発明の暗証情報受信部に相当する。また、ステップＳ１１５において、一時記憶部５２は本発明の暗証情報記憶部に相当する。
【０１２２】
図１６は、貸出予約車両を駐車領域から出庫させるときの車両貸出システム１００における充電スタンド５の処理手順を示したフローチャートである。充電スタンド５の制御部５１は、操作部５７から暗証情報の入力を受け付けたか否かを判定する（ステップＳ１２１）。暗証情報の入力を受け付けていないと判定した場合（Ｓ１２１：ＮＯ）、制御部５１は、暗証情報の入力を受け付けるまで処理を待つ。なお、ステップＳ１２１において、操作部５７は本発明の受付部に相当する。
【０１２３】
暗証情報の入力を受け付けたと判定した場合（Ｓ１２１：ＹＥＳ）、制御部５１は、受け付けた暗証情報が、一時記憶部５２に記憶した暗証情報と一致するか否かを判定する（ステップＳ１２２）。暗証情報が一致すると判定した場合（Ｓ１２２：ＹＥＳ）、制御部５１はコネクタ取外し許可制御を行う（ステップＳ１２３）。コネクタ取り外し許可制御とは、実施の形態１で説明したように貸出予約車両からコネクタ５９の取外しを可能とする制御、即ち貸出予約車両を出庫可の状態とする制御である。
【０１２４】
暗証情報が一致しないと判定した場合（Ｓ１２２：ＮＯ）、認証不可を報知する（ステップＳ１２４）。例えば、制御部５１は、ディスプレイ２４ａに入力された暗証情報が認証できなかったことを示すメッセージを表示することにより報知する。
【０１２５】
以上の構成及び処理によって、充電スタンド５は操作部５７を介して入力された暗証情報を、中央装置１と通信を行うことなく自身が記憶する暗証情報に基づいて、認証をすることができる。
【０１２６】
なお、実施の形態１及び２において、各駐車領域４ａに充電スタンド５を設け、ケーブル６及びコネクタ５９により車両３が搭載するバッテリを充電する構成を示したが、充電スタンド５により駐車領域４ａに埋設されたコイルによる非接触給電をするようにしてもよい。このとき、車両３を出庫可又は不可の状態とする制御を各駐車領域４ａの入庫口等にロック板を設け、該ロック板を制御することによって、実現することができる。
【０１２７】
また、実施の形態１及び２において、車両貸出システム１００は、携帯端末２を用いる構成を示したが、携帯端末２の代わりに車両３に搭載されるナビゲーション装置を用いる構成としてもよい。その場合、ナビゲーション装置は、第２通信部２７がＣＡＮプロトコル等の車載ＬＡＮで用いられる規格に準拠して構成される以外は、携帯端末２と同様の構成で車両貸出システム１００が実現される。
【０１２８】
また、実施の形態１及び２において、携帯端末２が位置検出部２８によって利用車両の位置の情報を取得することを示したが、車両３に位置検出部２８に相当する構成を備え、貸出済車両情報に貸出済車両の位置の情報を含めてもよい。
【０１２９】
更に、今回開示された実施の形態は全ての点で例示であって、制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【０１３０】
１  中央装置
２  携帯端末（通信装置）
３  車両
４  駐車場
４ａ  駐車領域
５  充電スタンド
１１  制御部（生成部、判定部、乗換判定部、貸出予約車両出庫判定部、入庫情報判定部）
１３  記憶部
１４  通信部（禁止信号送信部、暗証情報送信部、受付情報受信部、出庫可信号送信部、入庫情報受信部、報知情報送信部、出庫情報受信部、給電禁止信号送信部）
１６  計時部
２６  第１通信部（暗証情報受信部）
２４ａ  ディスプレイ（暗証情報報知部）
５１  制御部（判定部、取得部、出庫判定部）
５２  一時記憶部（暗証情報記憶部）
５４  通信部（受付情報送信部、入庫情報送信部、出庫情報送信部）
５７  操作部（受付部）
【図１】
2015052984.tif 000003
【図２】
2015052984.tif 000004
【図３】
2015052984.tif 000005
【図４】
2015052984.tif 000006
【図５】
2015052984.tif 000007
【図６】
2015052984.tif 000008
【図７】
2015052984.tif 000009
【図８】
2015052984.tif 000010
【図９】
2015052984.tif 000011
【図１０】
2015052984.tif 000012
【図１１】
2015052984.tif 000013
【図１２】
2015052984.tif 000014
【図１３】
2015052984.tif 000015
【図１４】
2015052984.tif 000016
【図１５】
2015052984.tif 000017
【図１６】
2015052984.tif 000018